(57)【要約】【課題】利便性を高めた簡易ついたてを提供する。【解決手段】簡易ついたて１００は、厚み方向に貫通する複数の通気路１１０ａが形成された壁側プレート１１０と、厚み方向に貫通する複数の通気路１２０ａが形成された床側プレート１２０と、壁側プレート１１０と床側プレート１２０とを連結する連結部１３０と、を備え、壁側プレート１１０の通気路１１０ａは、壁側プレート１１０の厚み方向に対して傾斜した方向に形成される。簡易ついたて１００のわきで寝たり座ったりするときに、床側プレート１２０の上に寝たり座ったりすることができるので、安定性に優れる。また、壁側プレート１１０の通気路１１０ａが、壁側プレート１１０の厚み方向に対して傾斜した方向に形成されるため、簡易ついたて１００のわきで寝たり座ったりするときに、壁側プレートからの快適な通気が得られる。また、遮光性にも優れている。【選択図】図１
2019017737.tif 000002
【特許請求の範囲】
【請求項１】
持ち運び可能であり所定の方向への通気を確保又は遮断するための簡易ついたてであって、
厚み方向に貫通する複数の通気路が形成された壁側プレートと、
厚み方向に貫通する複数の通気路が形成された床側プレートと、
前記壁側プレートと前記床側プレートとを連結する連結部と、
を備え、
前記壁側プレートの少なくとも１以上の通気路は、前記壁側プレートの厚み方向に対して傾斜した方向に形成されることを特徴とする、簡易ついたて。
【請求項２】
前記床側プレートの少なくとも１以上の通気路は、前記床側プレートの厚み方向に対して傾斜した方向に形成されることを特徴とする、請求項１に記載の簡易ついたて。
【請求項３】
前記壁側プレートの通気路は、前記床側プレートの通気路と形態が異なることを特徴とする、請求項２に記載の簡易ついたて。
【請求項４】
前記床側プレートの厚みは、前記壁側プレートの厚みよりも薄いことを特徴とする、請求項１〜３のいずれかに記載の簡易ついたて。
【請求項５】
前記壁側プレートと前記床側プレートとは、同一のプレートで構成されることを特徴とする、請求項２に記載の簡易ついたて。
【請求項６】
さらに、前記壁側プレートの背面に着脱自在であり、前記壁側プレートの背面に装着されたときに前記壁側プレートの少なくとも１以上の通気路を覆う防風プレートを備えたことを特徴とする、請求項１〜５のいずれかに記載の簡易ついたて。
【請求項７】
前記壁側プレートと前記床側プレートの少なくとも一方に、前記壁側プレートから離脱した前記防風プレートを支持するための支持部が設けられることを特徴とする、請求項６に記載の簡易ついたて。
【請求項８】
前記連結部は、前記床側プレートに対する前記壁側プレートの角度を調整可能であることを特徴とする、請求項１〜７のいずれかに記載の簡易ついたて。
【請求項９】
前記壁側プレートの通気路は、向きが可変であることを特徴とする、請求項１〜８のいずれかに記載の簡易ついたて。
【発明の詳細な説明】
【技術分野】
【０００１】
本発明は、避難所等での利用に適した簡易ついたてに関する。
【背景技術】
【０００２】
従来、避難所で利用可能な簡易ついたてとして、特開２０１２−２１３４６１号公報（特許文献１）に開示されるものがある。同文献に開示される簡易ついたては、ついたて本体がシート状に形成され、また、ついたて本体の下端部及び上端部の下保持部材及び上保持部材が屈曲可能であり、また、連結機構によって連結することができるので、全体の形状を、円形、四角形等の任意の閉じた形状に構成することができる。また、一旦、構成した形状や大きさを簡単に変更することができる。さらに、連結機構を利用して複数の簡易ついたてを連結することで、大きな形状を容易に構成することができる。
【先行技術文献】
【特許文献】
【０００３】
【特許文献１】特開２０１２−２１３４６１号公報
【発明の概要】
【発明が解決しようとする課題】
【０００４】
しかしながら、特許文献１に開示されるような従来の簡易ついたてでは、設置したり移動させたりするのに手間がかかり、使用時には寝返りを打つと倒れるおそれがあった。また使用しないときは邪魔で収納しにくいものであった。また、簡易ついたての目的が、単に領域を区画したり、視覚を遮ったりする程度であるため、ついたて本体の構造自体には特徴はなかった。このような点から、従来の簡易ついたてにはさらなる改善の余地があった。
【０００５】
そこで本発明は、このような問題に鑑みてなされたものであり、その目的とするところは、利便性を高めた簡易ついたてを提供することにある。
【課題を解決するための手段】
【０００６】
上記課題を解決するために、本発明によれば、持ち運び可能であり所定の方向への通気を確保又は遮断するための簡易ついたてであって、厚み方向に貫通する複数の通気路が形成された壁側プレートと、厚み方向に貫通する複数の通気路が形成された床側プレートと、前記壁側プレートと前記床側プレートとを連結する連結部と、を備え、前記壁側プレートの少なくとも１以上の通気路は、前記壁側プレートの厚み方向に対して傾斜した方向に形成されることを特徴とする、簡易ついたてが提供される。
【０００７】
かかる構成によれば、簡易ついたてのわきで寝たり座ったりするときに、床側プレートの上に寝たり座ったりすることができるので、安定性に優れる。また、壁側プレートの少なくとも１以上の通気路が、壁側プレートの厚み方向に対して傾斜した方向に形成されるため、簡易ついたてのわきで寝たり座ったりするときに、壁側プレートからの快適な通気が得られる。また、遮光性にも優れている。このようにして、利便性を高めた簡易ついたてを提供することが可能である。
【０００８】
本発明は、さまざまな応用が可能である。以下の応用例は、任意に組み合わせることが可能である。
【０００９】
例えば、前記床側プレートの少なくとも１以上の通気路は、前記床側プレートの厚み方向に対して傾斜した方向に形成されるようにしてもよい。簡易ついたてのわきで寝たり座ったりするときに、床側プレートが寝具や座布団などの下に敷かれることによって、寝具等の湿気を除去することができる。また、壁側プレートと床側プレートの両方に通気路を形成したことで、いずれのプレートを壁側にしてもよく床側にしてもよい。
【００１０】
また、前記壁側プレートの通気路は、前記床側プレートの通気路と形態が異なる（例えば、孔の形状が異なる、傾斜角度が異なるなど）ようにしてもよい。壁側プレートと床側プレートのそれぞれにおいて、用途等に応じた最適な形態の通気路とすることができる。
【００１１】
また、前記床側プレートの厚みは、前記壁側プレートの厚みよりも薄いようにしてもよい。床側プレートを寝具等の下に敷くときの違和感を軽減できる。
【００１２】
また、前記壁側プレートと前記床側プレートとは、同一のプレートで構成されるようにしてもよい。同一の原材料を用いることができるので、製造コストを削減することができる。なお、壁側プレートは、通気が目的であるので通気路の向きが重要であるのに対し、床側プレートは、寝具等の湿気を除去することが目的であるので、通気路の向きは必ずしも重要ではない。このため、壁側プレートと床側プレートを同一のプレートで構成してもどちらの機能も発揮できる。この点に格別の意味がある。
【００１３】
さらに、前記壁側プレートの背面に着脱自在であり、前記壁側プレートの背面に装着されたときに前記壁側プレートの少なくとも１以上の通気路を覆う防風プレートを備えるようにしてもよい。使用状況によっては壁側プレートによる通気を一部又は全部防ぎたいときがある。そこで、壁側プレートの少なくとも１以上の通気路を覆う防風プレートを備えることによって、壁側プレートによる通気の一部又は全部を防ぐことができる。
【００１４】
また、前記壁側プレートと前記床側プレートの少なくとも一方に、前記壁側プレートから離脱した前記防風プレートを支持するための支持部が設けられるようにしてもよい。このような支持部の形態としては、例えば、防風プレートの一部と嵌合できる切り欠きとすることができる。壁側プレートと床側プレートの少なくとも一方で防風プレートを支持することで、簡易ついたてをテーブル（サイドテーブル）として利用したときの安定性を高めることができる。
【００１５】
前記連結部は、前記床側プレートに対する前記壁側プレートの角度を調整可能であるようにしてもよい。壁側プレートの角度を調整可能であることで、より利便性が高まる。特に、壁側プレートを床側プレートに対して９０度近傍で止まるような調整が可能であると便利である。
【００１６】
また、前記壁側プレートの通気路は、向きが可変であるようにしてもよい。例えば、通気路の向きが可動であったり、壁側プレートを着脱したり交換したりして、通気路の向きを変えられるようにいてもよい。壁側プレートからの通気の方向を使用者の好みに合わせて変えることができる。
【発明の効果】
【００１７】
本発明によれば、利便性を高めた簡易ついたてが提供される。本発明のその他の効果については、以下の発明を実施するための形態の項でも説明する。
【図面の簡単な説明】
【００１８】
【図１】簡易ついたて１００の全体構成を概略的に示す図である。
【図２】壁側プレート１１０の詳細を示す図である。
【図３】床側プレート１２０の詳細を示す図である。
【図４】連結部１３０の詳細を示す図である。
【図５】簡易ついたて２００の全体構成を概略的に示す図である。
【図６】簡易ついたて３００の全体構成を概略的に示す図である。
【図７】図６の符号Ｘ部分の詳細を示す図である。
【発明を実施するための形態】
【００１９】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００２０】
（第１の実施形態）
本発明の第１の実施形態について説明する。図１は、本実施形態の簡易ついたて１００を示す図である。本実施形態の簡易ついたて１００は、持ち運び可能であり所定の方向への通気を確保又は遮断するためのものである。簡易ついたて１００は、図１に示したように、複数の通気路１１０ａが形成された所定厚みの壁側プレート１１０と、複数の通気路１２０ａが形成された所定厚みの床側プレート１２０と、壁側プレート１１０と床側プレート１２０とを連結する連結部１３０と、を備えたことを特徴とする。以下、簡易ついたて１００の各構成要素について詳細に説明する。
【００２１】
（壁側プレート１１０）
壁側プレート１１０は、図１に示したように、簡易ついたて１００を構成する２枚のプレートのうちの１枚である。簡易ついたて１００の使用時には、床面に対してほぼ直立した状態で用いられ、壁側プレート１１０の両側の空間を間仕切る機能を有する。壁側プレート１１０は樹脂製であり、壁側プレート１１０の厚みは２ｃｍ程度とすることができる。このようにして壁側プレート１１０は、遮光性、遮音性等を有する。
【００２２】
壁側プレート１１０のサイズは、使用目的に応じてさまざまなサイズのものとすることができる。例えば、簡易ついたて１００の側で寝るために用いるのであれば、壁側プレート１１０の一辺は１ｍ〜２ｍ程度であってもよい。また、簡易ついたて１００の側で座るために用いるのであれば、壁側プレート１１０の一辺は５０ｃｍ〜１ｍ程度のサイズであってもよい。壁側プレート１１０の形状は矩形でなくてもよい。また、壁側プレート１１０の材質も、樹脂に限らず用途に応じてさまざまな材質にすることができる。また、樹脂であっても不透明・半透明・透明の樹脂など、任意の材質とすることができる。
【００２３】
図２は、壁側プレート１１０の詳細を示す図である。壁側プレート１１０には、図２に示したように、表面（一の面）から裏面（他の面）へ貫通する複数の通気路１１０ａが、千鳥配列で形成されている。ここで複数の通気路１１０ａとは、壁側プレート１１０の機能である十分な遮光性、遮音性を保ちつつ、十分な通気を得るために必要十分な数・配列の通気路１１０ａが形成されていることを意味する。
【００２４】
通気路１１０ａの表面は、図２（ａ）の正面図に示したように、長孔（例えば、幅が２ｍｍで長さが３〜４０ｍｍ程度）として形成される。また、通気路１１０ａは、図２（ｂ）の側面図に示したように、壁側プレート１１０の厚み方向に対して傾斜した方向に形成される。傾斜方向については、冷風又は温風の通気量を増やしたい又は減らしたいなど、使用目的に合わせて構成することができる。このようにして、簡易ついたて１００のわきで寝たり座ったりするときに、壁側プレート１１０からの快適な通気が得られる。また、通気路１１０ａが傾斜していることで、壁側プレート１１０の厚み方向に対する目隠し効果もある。
【００２５】
壁側プレート１１０の一辺には、図２に示したように、連結片１１２が設けられている。連結片１１２は、床側プレート１２０との連結に用いられる。この点については、連結部１３０の構成として、さらに後述する。
【００２６】
（床側プレート１２０）
床側プレート１２０は、図１に示したように、上述した壁側プレート１１０とともに簡易ついたて１００を構成するプレートである。簡易ついたて１００の使用時には、布団や座布団などの下で床面に接した状態で用いられ、布団や座布団などの湿気を放出する機能（放湿性）を有する。床側プレート１２０は樹脂製であり、床側プレート１２０の厚みは、壁側プレート１１０よりも薄い１ｃｍ程度とすることができる。これは、床側プレート１２０が布団や座布団などの下に置かれたときの違和感を軽減するためである。
【００２７】
図３は、床側プレート１２０の詳細を示す図である。床側プレート１２０には、図３に示したように、表面（一の面）から裏面（他の面）へ貫通する複数の通気路１２０ａが形成されている。ここで複数の通気路１２０ａとは、上記壁側プレート１１０と同様に、壁側プレート１１０の機能である十分な放湿性を保つために必要十分な数・配列の通気路１２０ａが形成されていることを意味する。
【００２８】
通気路１２０ａの表面は、図３（ａ）の正面図に示したように、円孔（例えば、直径５ｍｍ程度）として形成される。また、通気路１２０ａは、図３（ｂ）の側面図に示したように、床側プレート１２０の厚み方向に対して傾斜した方向に形成される。床側プレート１２０を布団や座布団などの下で床面に接した状態で用いたときに、布団や座布団などの湿気を放出することができる。
【００２９】
なお、床側プレート１２０の通気路１２０ａの傾斜方向については、上述した壁側プレート１１０の通気路１１０ａの傾斜方向と同じでもよく、異なっていてもよい。また、床側プレート１２０を壁側にして使用することもできる。床側プレート１２０は、寝具等の湿気を除去することが目的であるので、通気路１２０ａの向きは必ずしも重要ではない。このため、壁側プレート１１０と床側プレート１２０を同一のプレートで構成してもどちらの機能も発揮できる。この点に格別の意味がある。
【００３０】
床側プレート１２０の一辺には、図３に示したように、連結片１２２が設けられている。連結片１２２は、壁側プレート１１０との連結に用いられる。この点については、連結部１３０の構成として、さらに後述する。
【００３１】
（連結部１３０）
連結部１３０は、図１に示したように、壁側プレート１１０と床側プレート１２０とを連結する機能を有する。連結部１３０によって、簡易ついたて１００の使用時に、壁側プレート１１０を床側プレート１２０に対してほぼ直立した状態に維持できる。また、連結部１３０によって、簡易ついたて１００を完全に折り畳んだ状態にすることにより、持ち運びや収納時の利便性を高めている。
【００３２】
図４は、連結部１３０の詳細を示す図である。連結部１３０は、図４に示したように、壁側プレート１１０の一部である連結片１１２（図２参照）と、床側プレート１２０の一部である連結片１２２（図３参照）と、軸１３２により構成される一種のヒンジ機構である。ただし、連結部１３０は、壁側プレート１１０と床側プレート１２０との間の角度を、使用時の状態（直立状態）と収納時の状態（折り畳み状態）に維持できれば十分である。
【００３３】
壁側プレート１１０の連結片１１２は輪状の凸片であり、床側プレート１２０の連結片１２２は輪状の凹片であり、この両者の輪状部分を軸１３２が貫通している。図４に示した状態は、連結片１１２が連結片１２２に嵌合している状態である。この状態は、壁側プレート１１０と床側プレート１２０との間の角度が約９０度であり、簡易ついたて１００の使用時の状態である。この状態から、壁側プレート１１０の連結片１１２を持ち上げて、連結片１１２、１２２の嵌合を解除し、軸１３２を回転軸として壁側プレート１１０を前に倒すと、壁側プレート１１０と床側プレート１２０との間の角度を約０度にできる。簡易ついたての収納時の状態である。この収納時の状態から、使用する際には、この逆の動作を行う。
【００３４】
なお、連結部の構成は、上記連結部１３０の構成に限定されない。例えば、連結部として、壁側プレート１１０の床側プレート１２０に対する直立角度を角度調整自在に維持できる構成としてもよい。このような構成としては、例えば、ノートパソコンのキーボードとモニターを連結する部分と同様の構成としてもよい。
【００３５】
以上、簡易ついたて１００の構成について説明した。次に、簡易ついたて１００の使い方について説明する。
【００３６】
簡易ついたて１００の収納時には、連結部１３０によって、壁側プレート１１０と床側プレート１２０とが重ねられた状態で収納されている。必要時に簡易ついたて１００を取り出して連結部１３０によって、壁側プレート１１０と床側プレート１２０を広げる。このとき、連結部１３０の機能によって、壁側プレート１１０を床側プレート１２０に対して９０度近傍に維持できる。
【００３７】
そして、床側プレート１２０を床に接するように置く。その上に寝具や座布団を敷き、その上で寝たり座ったりすることができる。このとき、壁側プレート１１０の通気路１１０ａによって、通気性を保ちつつ遮光・遮音などの効果がある。さらに、床側プレート１２０の通気路１２０ａによって、寝具や座布団の湿気を逃がすことができる。使用後には、この動作と逆の動作によって、簡易ついたて１００を収納状態にすることができる。
【００３８】
（第１の実施形態の効果）
以上説明したように、本実施形態によれば、簡易ついたて１００のわきで寝たり座ったりするときに、床側プレート１２０の上に寝たり座ったりすることができるので、安定性に優れる。また、壁側プレート１１０の通気路１１０ａが、壁側プレート１１０の厚み方向に対して傾斜した方向に形成されるため、簡易ついたて１００のわきで寝たり座ったりするときに、壁側プレート１１０からの快適な通気が得られる。また、遮光性にも優れている。このようにして、利便性を高めた簡易ついたて１００が提供される。
【００３９】
また、床側プレート１２０の通気路１２０ａも、床側プレート１２０の厚み方向に対して傾斜した方向に形成されるようにしたので、簡易ついたて１００のわきで寝たり座ったりするときに、床側プレート１２０が寝具や座布団などの下に敷かれることによって、寝具等の湿気を除去することができる。また、壁側プレート１１０と床側プレート１２０の両方に通気路を形成したことで、いずれのプレートを壁側にしてもよく床側にしてもよい。
【００４０】
また、壁側プレート１１０の通気路１１０ａを、床側プレート１２０の通気路１２０ａと形態が異なるようにしたので、壁側プレート１１０と床側プレート１２０のそれぞれにおいて、用途等に応じた最適な形態の通気路とすることができる。
【００４１】
また、床側プレート１２０の厚みを、壁側プレート１１０の厚みよりも薄くしたので、床側プレート１２０を寝具等の下に敷くときの違和感を軽減できる。
【００４２】
以下では、上記第１の実施形態を応用した他の実施形態について説明する。以下の実施形態では、上記第１の実施形態と同様の点については、重複説明を省略することがある。
【００４３】
（第２の実施形態）
上記第１の実施形態の簡易ついたて１００では、壁側プレート１１０の通気路１１０ａによって、通気性を保ちつつ遮光・遮音などの効果があることについて説明した。簡易ついたての使用時の状況によっては、通気を遮断したい場合もある。そこで、本実施形態では、状況に応じて壁側プレートの通気を遮断できる構成について説明する。
【００４４】
図５は、本実施形態の簡易ついたて２００を示す図である。本実施形態の簡易ついたて２００は、持ち運び可能であり所定の方向への通気を確保又は遮断するためのものである。簡易ついたて２００は、図５に示したように、複数の通気路２１０ａが形成された所定厚みの壁側プレート２１０と、複数の通気路２２０ａが形成された所定厚みの床側プレート２２０と、壁側プレート２１０と床側プレート２２０とを連結する連結部２３０と、壁側プレート２１０に対して着脱自在に取り付けられるスライド式の防風プレート２４０と、を備えたことを特徴とする。以下、簡易ついたて２００の各構成要素について詳細に説明する。
【００４５】
（壁側プレート２１０）
壁側プレート２１０は、図５に示したように、上記第１の実施形態の壁側プレート１１０と同様の構成に、さらに、側方にスライド溝２１２を設けたことを特徴とする。このスライド溝２１２は、後述する防風プレート２４０をスライドさせて着脱自在にするためのものである。その他の点については、上記第１の実施形態の壁側プレート１１０と同様に構成することができる。
【００４６】
床側プレート２２０及び連結部２３０については、上記第１の実施形態の床側プレート１２０及び連結部１３０と同様に構成することができる。
【００４７】
（防風プレート２４０）
防風プレート２４０は、図５に示したように、壁側プレート２１０に対して着脱自在であり、壁側プレート２１０に対して取り付けられたときは、壁側プレート２１０の背面を覆い、壁側プレート２１０の通気路２１０ａによる通気を遮断するものである。防風プレート２４０は、図５に示したように、Ｃ型板の端部がコ字状に構成され、上述した壁側プレート２１０の側方に設けられたスライド溝２１２にレール状に嵌合する。このようにして、防風プレート２４０は、スライド溝２１２をスライド可能であり、スライド溝２１２の上方から着脱自在である。
【００４８】
なお、図５に示した一例では、防風プレート２４０は、壁側プレート２１０の通気路２１０ａをすべて覆う大きさであるが、通気路２１０ａの一部を覆う大きさであってもよい。また、異なるサイズの防風プレートを準備しておき、使用時の状況に応じて防風プレートを使い分けるようにしてもよい。
【００４９】
以上、簡易ついたて２００の構成について説明した。次に、簡易ついたて２００の使い方について説明する。
【００５０】
防風プレート２４０を用いないときには、上記第１の実施形態の簡易ついたて１００と同様の使い方ができる。そして、壁側プレート２１０の通気路２１０ａによる通気を遮断したいときには、防風プレート２４０を取り付けて用いることができる。
【００５１】
（第２の実施形態の効果）
以上説明したように、本実施形態によれば、上記第１の実施形態の効果に加え、防風プレート２４０を備えたことで、使用時の状況に応じて通気量を調整できる。なお、本実施形態において説明を省略した構成、作用及び効果等については、上記第１の実施形態の説明を準用することができる。
【００５２】
（第３の実施形態）
本実施形態では、上記実施形態で説明した簡易ついたての他の使用方法について説明する。簡易ついたては被災地などで利用することができる。そこで、簡易ついたてを本来の目的で使用しないときに、以下に述べるように、簡易ついたてをテーブル（サイドテーブル）として利用することができるとさらに便利である。本実施形態では、このような利用態様について説明する。
【００５３】
図６は、本実施形態の簡易ついたて３００をテーブルとして利用した状態を示す図であり、図６（ａ）は斜視図であり、図６（ｂ）は図６（ａ）のＺ方向から見た図である。簡易ついたて３００は、図６に示したように、壁側プレート３１０と、床側プレート３２０と、連結部３３０と、防風プレート３４０により構成される。これら構成は、以下に述べる点を除き、上記第２の実施形態の壁側プレート２１０、床側プレート２２０、連結部２３０及び防風プレート２４０と同様に構成することができる。
【００５４】
本実施形態では、図６に示したように、壁側プレート３１０と床側プレート３２０を開いた状態で横に倒す。防風プレート３４０は壁側プレート３１０から離脱しておく。そして、壁側プレート３１０の側面と床側プレート３２０の側面が上に向いている状態で、その上方に防風プレート３４０を置く。この状態では、壁側プレート３１０と床側プレート３２０がテーブルの脚部として機能し、防風プレート３４０がテーブルの天板として機能する。このようにして、簡易ついたて３００を、本来の目的のほか、テーブルとして用いることができる。
【００５５】
さらに、このような利用態様での安定性を高めるために、以下のような構成を採用することができる。図７は、図６の符号Ｘ部分の詳細を示す図である。床側プレート３２０には、図７に示したように、防風プレート３４０を支持する支持部の一例として切り欠き３２０ａが設けられている。防風プレート３４０の端部のコ字状部３４０ａを切り欠き３２０ａにかますことで、安定的に一体化させることができる。
【００５６】
なお、壁側プレート３１０にも同様の切り欠きを設け、防風プレート３４０の端部のコ字状部をその切り欠きにかますようにしてもよい。防風プレート３４０を、壁側プレート３１０と床側プレート３２０で協同して支持することができ、さらに安定的に一体化させることができる。このように、壁側プレート３１０と床側プレート３２０の少なくとも一方に、防風プレート３４０を支持する支持部を設けることで、防風プレート３４０を安定的に支持することができる。
【００５７】
（第３の実施形態の効果）
以上説明したように、本実施形態によれば、簡易ついたて３００を本来の目的で使用しないときに、簡易ついたて３００をテーブル（サイドテーブル）として利用することができ、さらに便利である。なお、本実施形態において説明を省略した構成、作用及び効果等については、上記第１、第２の実施形態の説明を準用することができる。
【００５８】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００５９】
例えば、上記実施形態では、壁側プレートのすべての通気路が、壁側プレートの厚み方向に対して傾斜した方向に形成される例について説明したが、本発明はこれに限定されない。用途に応じて、壁側プレートの少なくとも１以上の通気路が、壁側プレートの厚み方向に対して傾斜した方向に形成されるようにしてもよい。また、床側プレートの通気路についても同様に、床側プレートの少なくとも１以上の通気路が、床側プレートの厚み方向に対して傾斜した方向に形成されるようにしてもよい。
【００６０】
また、上記実施形態では、床側プレートの通気路が、床側プレートの厚み方向に対して傾斜した方向に形成される場合について説明したが、本発明はこれに限定されない。床側プレートの通気路は、すべて傾斜していなくてもよい。
【００６１】
また、上記実施形態では、壁側プレートと床側プレートが異なる構成の場合について説明したが、本発明はこれに限定されない。壁側プレートと床側プレートとは、同一のプレートで構成されるようにしてもよい。同一の原材料を用いることができるので、製造コストを削減することができる。
【００６２】
また、上記実施形態では、床側プレートの厚みが壁側プレートの厚みよりも薄い場合について説明したが、本発明はこれに限定されない。床側プレートの厚みは、用途に応じて、壁側プレートと同一であってもよく、壁側プレートよりも厚くてもよい。
【００６３】
また、上記実施形態では、連結部の構成として、壁側プレートと床側プレートとの間の角度を、使用時の状態（直立状態）と収納時の状態（折り畳み状態）に維持できる構成について説明したが、本発明はこれに限定されない。床側プレートに対する壁側プレートの角度を任意に又は段階的に調整可能であってもよい。また、連結部は単に床側プレートと壁側プレートとを連結する機能のみを有していてもよい。製造コストを削減することができる。
【００６４】
また、上記実施形態では、壁側プレートの通気路の向きは固定されていたが、本発明はこれに限定されない。壁側プレートの通気路は、向きが可変であるようにしてもよい。例えば、通気路の向きが可動であったり、壁側プレートを着脱したり交換したりして、通気路の向きを変えられるようにいてもよい。壁側プレートからの通気の方向を使用者の好みに合わせて変えることができる。
【００６５】
以上説明した実施形態、応用例、変形例等は、適宜組み合わせて実施可能である。
【符号の説明】
【００６６】
１００、２００、３００  簡易ついたて
１１０、２１０、３１０  壁側プレート
１１０ａ、２１０ａ  通気路
１１２  連結片
１２０、２２０、３２０  床側プレート
１２０ａ、２２０ａ  通気路
１２２  連結片
１３０  連結部
１３２  軸
２４０、３４０  防風プレート
３２０ａ  切り欠き
【図１】
2019017737.tif 000003
【図２】
2019017737.tif 000004
【図３】
2019017737.tif 000005
【図４】
2019017737.tif 000006
【図５】
2019017737.tif 000007
【図６】
2019017737.tif 000008
【図７】
2019017737.tif 000009